(57)【要約】【課題】  非常用錠前装置のキーを使用して蓋板を容易に外せるようにする。【解決手段】  非常用錠前装置６背面に配置した電池収納ケース７背面に着脱自在に嵌合する蓋板７Ａを備え、蓋板７Ａ上端に係合孔７Ｂを設け、電池収納ケース７上方に電池蓋用ロックレバー１６を配置し、この電池蓋用ロックレバー１６は、その下端がバネによって下方へ付勢降下することによって蓋板７Ａの係合孔７Ｂへ係合し、非常用錠前装置６にキーを差し込み、非常開錠とは反対方向へ回動することによって電池蓋用ロックレバー１６を上昇して蓋板７Ａの係合孔７Ｂに対する係合を解除する。【選択図】          図８
2006291529.tif 000002
【特許請求の範囲】
【請求項１】
ロッカー扉板に設けられた非常用錠前装置と、非常用錠前装置の背面に配置した電池収納ケースと、該電池収納ケース背面に着脱自在に嵌合される蓋板とを備え、蓋板上端に係合孔を設け、電池収納ケース上方に電池蓋用ロックレバーを配置し、この電池蓋用ロックレバーは、その下端がバネによって下方へ付勢降下されることによって蓋板の係合孔へ係合し、非常用錠前装置にキーを差し込み、非常開錠とは反対方向へ回動することによって電池蓋用ロックレバーを上昇して蓋板の係合孔に対する係合を解除するようにしたことを特徴とする電池式電気錠における電池蓋のロック機構。
【発明の詳細な説明】
【技術分野】
【０００１】
本発明は、電気錠、特にロッカー管理システムにおけるＩＣタグ電気錠、さらに詳細にはＩＣタグの電源として電池を用いた電池式電気錠における電池蓋のロック機構に関する。
【背景技術】
【０００２】
従来、この種の電気錠は、ＩＣタグをそれ自身が持つ製造番号である例えばシリアルナンバーを書き換えのできないＩＤとしてキーとしての意味を付け、ロッカー本体側に扉の施錠を行うロック機構、ＩＣタグの受付部、ＩＣタグにエネルギーを供給してＩＣタグとの間で送受信を行う送受信部、送受信部より接続される管理部およびこれらに対する電源供給部を一体的に構成して成る電気錠として機能させている。例えば、本出願人自身は、先に出願された特許文献１に開示された電気錠として、タグチェッカーの往方向への移動によってオンとなる検知スイッチのオンによって作動するラッチ用ソレノイドによりラッチレバーへの係合解除方向に作動して施錠可能状態とする作動片を備えた技術を提案した。
【特許文献１】特願２００３−０４２６０６号
【発明の開示】
【発明が解決しようとする課題】
【０００３】
しかしながら、従来の電池式電気錠においては、電池収納ケース背面に電池蓋が嵌め込まれているだけであるから、抜け落ち易いうえに、脱着操作が面倒で、電池交換等に際して手間と時間が掛かるという問題があった。
【０００４】
そこで、本発明は、叙上のような従来存した諸事情に鑑みなされたもので、非常用錠前装置のキーを使用して蓋板を容易に外せるように改良することで電池交換を短時間で容易に行うことができる電池式電気錠における電池蓋のロック機構を提供することを目的とする。
【課題を解決するための手段】
【０００５】
上述した課題を解決するため、本発明にあっては、ロッカー扉板に設けられた非常用錠前装置と、非常用錠前装置の背面に配置した電池収納ケースと、該電池収納ケース背面に着脱自在に嵌合される蓋板とを備え、蓋板上端に係合孔を設け、電池収納ケース上方に電池蓋用ロックレバーを配置し、この電池蓋用ロックレバーは、その下端がバネによって下方へ付勢降下されることによって蓋板の係合孔へ係合し、非常用錠前装置にキーを差し込み、非常開錠とは反対方向へ回動することによって電池蓋用ロックレバーを上昇して蓋板の係合孔に対する係合を解除するようにした。
【０００６】
このように、蓋板は電池蓋用ロックレバーによってケースに対して係合固定され、電池交換時に当該電池蓋用ロックレバーを上昇させて蓋板の係合を解除させる。すなわち、非常用錠前装置のキーを使用し、該キーを非常開錠とは逆方向へ回動させ、前記電池蓋用ロックレバーを上昇させて係合を解除させ、これによって蓋板が簡単に外せるものとなる。
【発明の効果】
【０００７】
本発明によれば、非常用錠前装置のキーを使用して蓋板を容易に外せるように改良することで電池交換を短時間で容易に行うことができる。
【発明を実施するための最良の形態】
【０００８】
以下、図面を参照して本発明を実施するための最良の一形態を説明すると、図において示される符号１は、例えばロッカー管理システムにおけるＩＣタグＰの電源として例えば単三乾電池４本の電池Ｑを用いた電池式電気錠であり、図１に示すように、ロッカー本体２を開閉するロッカー扉板３に設けられた錠ケース４の正面板下側に錠前装置１Ａに連結されたプッシュボタン５を突設し、上側にはキー孔を有する非常用錠前装置６を設けてある。そして、図５に示すように、錠ケース４の背面下方には、電池収納ケース７を配置し、該電池収納ケース７背面に蓋板７Ａを着脱自在に嵌合することで電池収納ケース７自体を閉蓋するようにしてある。
【０００９】
また、図２、図１３（ｂ）等に示すように、ロッカー本体２のラッチ受け２Ａに対向する錠ケース４の側面には、Ｌ字枠状のラッチガード２Ｂによって覆われた状態でラッチ８が一対の取付プレート９の支軸９Ｃによって回動自在に支持され、施錠中、ラッチ８に形成されている係合凹部８Ａにラッチ受け２Ａが係合されるようにしてある。
【００１０】
また、図１５、図１６に示すように、このラッチ８の両面側にはピン８Ｂがそれぞれ突設されており、両取付プレート９に穿設した円弧状のガイド長孔９Ａに該ピン８Ｂが遊嵌されると共に、二股弦巻状のバネ１０の一端を取付プレート９に固定し、バネ１０の他端をピン８Ｂに掛架させることによって、開錠中、係合凹部８Ａからラッチ受け２Ａを外す方向へ当該ラッチ８を回転付勢させてある。
【００１１】
非常用錠前装置６は、図１１に示すように、錠シリンダーに回転可能に支持されている回転内筒６Ａのキー孔６Ｄに対向する背面側には、差し込まれたキーの回動に伴い該回転内筒６Ａと一体となって回動する作動ピン６Ｂが突設されている。また、回転内筒６Ａの周面には凹部６Ｃが形成され、錠ケース４に形成されたバネ取付部４Ａに配されているバネ４Ｂの一端を該凹部６Ｃに圧接させてある。
【００１２】
ＩＣタグＰは、図３、図４に示すように、手首に装着されるよう可撓性を有した非磁性の合成樹脂からなるカールコード状のバンドを取り付けた硬質樹脂製のケースに内蔵され、ケース表面にはロッカー番号等のシリアルナンバーを表示してあり、このケース自体でもってプッシュボタン５を押圧操作させて電池Ｑの電源がＯＮとなり、該ＩＣタグＰと電池式電気錠１との間でデータの送受信および錠前装置１Ａの施錠・開錠が行われるようにしてある。
【００１３】
図８、図１０に示すように、錠ケース４内にはラッチ用ロックレバー１３が一端の第１の支点部１３Ａを介して揺動可能に支持されている。このラッチ用ロックレバー１３の他端には、前記回転内筒６Ａの作動ピン６Ｂに当接する一対の当接部１３Ｂが形成され、下端には前記ラッチ８の回転を阻止するための段差状の係止部１３Ｃが形成され、さらに上端には後述するソレノイド１４のプランジャー１４Ａの係止ピン１４Ｂに掛架させるＬ字形突起状の掛架部１３Ｄが形成されている。
【００１４】
また、錠ケース４内にはプランジャー１４Ａを操作する既述ソレノイド１４を備えており、該ソレノイド１４の係止ピン１４Ｂと前記ラッチ用ロックレバー１３の掛架部１３Ｄとの間にはプランジャー１４Ａが突出する方向に付勢するコイル状のバネ１５が介在されている。
【００１５】
図８、図９に示すように、ラッチ用ロックレバー１３における一対の当接部１３Ｂ側近傍には、突起状の第２の支点部１３Ｅが形成され、電池蓋用ロックレバー１６の略中央に設けた長孔１６Ａに係入され、第１の支点部１３Ａを介してのラッチ用ロックレバー１３の揺動に伴って電池蓋用ロックレバー１６自体が上下方向に移動されるようにしてある。また、電池蓋用ロックレバー１６の一端には、前記回転内筒６Ａの作動ピン６Ｂに係架させるための上側係止突起１６Ｂが形成され、他端には、電池収納ケース７背面に装着された蓋板７Ａの上側縁端部に形成されている係合孔７Ｂに係合させるための下側係止突部１６Ｃが形成されている。
【００１６】
そして、電池蓋用ロックレバー１６の一方の面にはリセットレバー１７が、それぞれの長孔１６Ａ、１７Ａに対応して形成されている楕円形の凹凸嵌合部１８を介して接合され、リセットレバー１７一端に形成されたスイッチ接点の当接押部１７Ｂと電池蓋用ロックレバー１６の下側係止突起１６Ｃとの間にバネ１９を介挿させて、当該電池蓋用ロックレバー１６を下降方向に常時付勢させてある。
【００１７】
また、図１３、図１４に示すように、リセットレバー１７の上端には、円弧状の押下げ部１７Ｃが形成され、回転する前記回転内筒６Ａの作動ピン６Ｂによって押下げ部１７Ｃを介してリセットレバー１７が押圧降下され、前記当接押部１７Ｂによってマイクロスイッチ２０のスイッチ接点２０Ａを押圧して電池の電源がＯＮとなるようにしてある。
【００１８】
こうして第１の支点部１３Ａを介してのラッチ用ロックレバー１３の揺動に伴って、電池蓋用ロックレバー１６が第２の支点部１３Ｅを介して下降移動して蓋板７Ａの係合孔７Ｂに下側係止突起１６Ｃが係合されることで、電池収納ケース７から蓋板７Ａ自体が外れないものとなる一方、回転内筒６Ａの作動ピン６Ｂの回転によって上側係止突起１６Ｂを介して電池蓋用ロックレバー１６が上昇移動されて、蓋板７Ａの係合孔７Ｂから下側係止突起１６Ｃが離脱されることで、電池収納ケース７から蓋板７Ａ自体が外れるようにしてある。
【００１９】
すなわち、ラッチ用ロックレバー１３の下側係止突起１６Ｃがバネ１９によって蓋板７Ａの係合孔７Ｂへ係合し（蓋板７Ａの抜けを防いだ図８（ａ）の状態）、非常用錠前装置６のキー孔６Ｄにキーを差し込み、非常開錠とは反対方向（図１の時計方向）へ回動することによってラッチ用ロックレバー１３を上昇して蓋板７Ａの係合孔７Ｂに対する係合を解除するようにしてある（図８（ｂ）の状態）。
【００２０】
次に、上記した構成による電池式電気錠の使用動作について説明する。
先ず、錠前装置１Ａの通常の施錠・開錠の場合について説明する。
【００２１】
開扉状態にあるロッカー本体２内に物品を収納した後、ロッカー扉板３を閉める。この開扉状態にある時には、ラッチ８とラッチ用ロックレバー１３とは互いに干渉しない状態に位置する。つまり、ラッチ８はバネ１０によって開錠状態に付勢保持されている。
【００２２】
ロッカー扉板３を閉めると、ロッカー本体２側のラッチ受け２Ａにラッチ８が当接して当該ラッチ８をバネ力に抗して回動させる。これによってラッチ８はその係合凹部８Ａがラッチ受け２Ａに係合する（図１３参照）。
【００２３】
しかし、このままではロッカー扉板３を開けると再び開扉可能なため、ラッチ８係合後、数秒でソレノイド１４のプランジャー１４Ａがバネ力で伸長し、ラッチ８に対してラッチ用ロックレバー１３の係止部が係止して、ラッチ８の開扉方向への回動を阻止する（図１３参照）。このとき、電池Ｑの電源は切られている。
【００２４】
施錠状態のロッカー扉板３を開扉するには、先ずＩＣタグＰを錠前装置１Ａに連結されたプッシュボタン５に当ててこれを押す。これはＩＣタグＰを手首に装着したままでも可能である。このときプッシュボタン５が押されるとスイッチレバー１１Ｂが接点と接触し、配線基板１１に電池Ｑの電源が流れる。
【００２５】
これによってソレノイド１４に電流が流れ、プランジャー１４Ａをバネ力に抗して引っ込ませ、ラッチ用ロックレバー１３を反時計方向に回動させ、その係止部１３Ｃによるラッチ８に対する係止状態を解除する。
その後、開扉することができ、以下同様の動作が繰り返される。
【００２６】
次に、非常開錠の場合について説明する。
先ず、非常用錠前装置６の回転内筒６Ａにおけるキー孔６Ｄにキーを差し込み、該回転内筒６Ａを反時計方向へ廻す。これによって非常用錠前装置６の作動ピン６Ｂが図１５の状態から図１６の状態に回動し、ラッチ用ロックレバー１３を反時計方向へ回動すると共に、リセットレバー１７が押されて、その下端１７Ｂでマイクロスイッチ２０の接点２０Ａを押し、電池Ｑの電源が入り、図１４に示すように、ソレノイド１４のプランジャー１４Ａが該ソレノイド１４側に退避する。その結果、ラッチ用ロックレバー１３の係止部１３Ｃのラッチ８に対する係止が外れ、ラッチ８はフリーとなるため、ロッカー扉板３を開扉することができる。
【００２７】
非常用錠前装置６の回転内筒６Ａにおけるキー孔６Ｄに差し込んだキーを時計方向に回動すると、図８に示すように、作動ピン６Ｂによって上側係止突起１６Ｂが押し上げられて電池蓋用ロックレバー１６が上昇し、電池Ｑの蓋板７Ａに対する電池蓋用ロックレバー１６の下側係止突起１６Ｃによる係合が解除される。すなわち、蓋板７Ａはラッチ用ロックレバー１３によって電池収納ケース７に対して係合固定されており、電池交換時に、非常用錠前装置６のキーを使用し、該キーを非常開錠とは逆方向へ回動させ、前記電池蓋用ロックレバー１６を上昇させて係合を解除させ、これによって蓋板７Ａが外れる。
【図面の簡単な説明】
【００２８】
【図１】本発明を実施するための最良の形態を示す電池式電気錠の要部の正面図である。
【図２】図１におけるＡ−Ａ矢視断面図である。
【図３】同じく電池式電気錠の要部の側面図である。
【図４】同じくＩＣタグの具体的な構成を示すもので（ａ）は平面図、（ｂ）は側面図である。
【図５】同じく電池式電気錠の要部の背面図である。
【図６】電池収納ケースの蓋板を開ける状態を示す正面図である
【図７】電池収納ケースから蓋板を取り除いた状態を示す正面図である。
【図８】電池収納ケースの蓋板の要部を示すもので、（ａ）は閉蓋状態の一部切欠断面図、（ｂ）は開蓋状態の一部切欠断面図である。
【図９】電池蓋用ロックレバーとリセットレバーとの分解状態を示す分解斜視図である。
【図１０】ラッチ用ロックレバーの一例を示す平面図である。
【図１１】非常用錠前装置の一例を示し、（ａ）は正面図、（ｂ）は背面図である。
【図１２】非常用錠前装置の側面図である。
【図１３】ラッチの開扉方向への回動を阻止する状態を示すもので、（ａ）は正面図、（ｂ）は（ａ）におけるＤ−Ｄ矢視断面図である。
【図１４】ラッチが開錠された状態を示すもので、（ａ）は正面図、（ｂ）は（ａ）におけるＥ−Ｅ矢視断面図である。
【符号の説明】
【００２９】
Ｐ      ＩＣタグ
Ｑ      電池
１      電池式電気錠
１Ａ    錠前装置
２      ロッカー本体
３      ロッカー扉板
４      錠ケース
５      プッシュボタン
６      非常用錠前装置
７      電池収納ケース
７Ａ    蓋板
７Ｂ    係合孔
８      ラッチ
１３    ラッチ用ロックレバー
１４    ソレノイド
１６    電池蓋用ロックレバー
１６Ｂ  上側係止突起
１６Ｃ  下側係止突起
１７    リセットレバー
２０    マイクロスイッチ
【図１】
2006291529.tif 000003
【図２】
2006291529.tif 000004
【図３】
2006291529.tif 000005
【図４】
2006291529.tif 000006
【図５】
2006291529.tif 000007
【図６】
2006291529.tif 000008
【図７】
2006291529.tif 000009
【図８】
2006291529.tif 000010
【図９】
2006291529.tif 000011
【図１０】
2006291529.tif 000012
【図１１】
2006291529.tif 000013
【図１２】
2006291529.tif 000014
【図１３】
2006291529.tif 000015
【図１４】
2006291529.tif 000016